(57)【要約】移動局１０は、受信信号から接続基地局１００へのパスロスＬ０と、最大隣接基地局２００へのパスロスＬ１を求める。移動局１０は、２つのパスロスＬ０，Ｌ１に夫々基づいて２つの送信電力ＰＴＸ＿Ｓ，ＰＴＸ＿Ｉを演算する。移動局１０は、２つの送信電力ＰＴＴＸ＿Ｓ，ＰＴＸ＿Ｉのうち、小さい方を接続基地局１００に対する送信電力ＰＴＸとして決定する。あるいは、移動局１０は２つの送信電力ＰＴＸ＿Ｓ，ＰＴＸ＿Ｉに対して一定の割合α（０＜α＜１）で加算した値を送信電力ＰＴＸとして決定する。
2008107930.tif 000002
【特許請求の範囲】
【請求項１】
移動局と接続基地局との間で無線通信を行う無線通信システムにおいて前記移動局から前記接続基地局への送信データの送信電力を制御する送信電力制御方法であって、
前記移動局と前記接続基地局との間の第１のパスロスと、前記移動局に隣接した隣接基地局との間の第２のパスロスとに基づいて、他セルに与える干渉量を抑圧するように前記移動局の前記送信電力を決定する、
ことを特徴とする送信電力制御方法。
【請求項２】
前記第１のパスロスから決定した第１の送信電力ＰＴＸ＿Ｓと、前記第２のパスロスから決定した第２の送信電力ＰＴＸ＿Ｉとを用いて、
【数１１】
2008107930.tif 000013
（ここで、ＰＴＸ＿ＭＡＸは前記移動局の最大送信電力を示す）により、前記移動局の前記送信電力ＰＴＸを決定することを特徴とする請求項１記載の送信電力制御方法。
【請求項３】
前記第１のパスロスから決定した第１の送信電力ＰＴＸ＿Ｓと、前記第２のパスロスから決定した第２の送信電力ＰＴＸ＿Ｉのうち、いずれか小さい方を前記移動局の送信電力として決定することを特徴とする請求項１記載の送信電力制御方法。
【請求項４】
前記第１のパスロスから決定した第１の送信電力ＰＴＸ＿Ｓと、前記第２のパスロスから決定した第２の送信電力ＰＴＸ＿Ｉとを用いて、
【数１２】
2008107930.tif 000014
（ここで、ＰＴＸ＿ＭＡＸは前記移動局の最大送信電力、αは０＜α＜１であるパラメータを示す）により、前記移動局の前記送信電力ＰＴＸを決定することを特徴とする請求項１記載の送信電力制御方法。
【請求項５】
前記第１のパスロスから決定した第１の送信電力ＰＴＸ＿Ｓと、前記第２のパスロスから決定した第２の送信電力とを一定の割合α（０＜α＜１）で加算した値を前記移動局の送信電力として決定することを特徴とする請求項１記載の送信電力制御方法。
【請求項６】
前記第１の送信電力ＰＴＸ＿Ｓは、
【数１３】
2008107930.tif 000015
（ここで、Ｌ０は前記第１のパスロス、βとＬｂａｓｅとＳＴａｒｇｅｔはパラメータを示す）により、決定することを特徴とする請求項２から５のいずれか一に記載の送信電力制御方法。
【請求項７】
前記第２の送信電力ＰＴＸ＿Ｉは、
【数１４】
2008107930.tif 000016
（ここで、Ｌ１は前記第２のパスロス、γとＬｂａｓｅとＩＴａｒｇｅｔはパラメータ）により決定することを特徴とする請求項２から５のいずれか一に記載の送信電力制御方法。
【請求項８】
前記移動局は、前記接続基地局及び前記隣接基地局からの信号に基づいて受信電力を測定し、測定した前記受信電力から前記第１のパスロス及び前記第２のパスロスとを測定して前記移動局の前記送信電力を決定することを特徴とする請求項１記載の送信電力制御方法。
【請求項９】
前記接続基地局は、前記移動局からの信号に基づいて受信電力を測定し、当該受信電力から前記第１のパスロスを測定するとともに、前記移動局で測定された前記隣接基地局に対する前記第２のパスロスを前記移動局から受信し、測定した前記第１のパスロスと受信した前記第２のパスロスから前記移動局の前記送信電力を決定し、
前記接続基地局は、決定した前記送信電力を前記移動局に送信することを特徴とする請求項１記載の送信電力制御方法。
【請求項１０】
移動局と接続基地局との間で無線通信を行う無線通信システムにおいて、
前記移動局には、前記移動局と前記接続基地局との間の第１のパスロスと、前記移動局に隣接した基地局である隣接基地局と前記移動局との間の第２のパスロスとに基づいて、前記移動局の前記接続基地局に対する送信電力を決定する送信電力決定部と、決定された前記送信電力に基づいて前記移動局から前記接続基地局へデータを送信するデータ送信部とを備え、
前記接続基地局には、前記移動局から送信された前記データを受信するデータ受信部を備えることを特徴とする無線通信システム。
【請求項１１】
移動局と接続基地局との間で無線通信を行う無線通信システムにおいて、
前記移動局には、前記移動局に隣接した基地局である隣接基地局との間の第２のパスロスを測定し前記接続基地局に送信する第２のパスロス測定部を備え、
前記接続基地局には、前記移動局との間の第１のパスロスを測定する第１のパスロス測定部と、測定した前記第１のパスロスと前記移動局から受信した前記第２のパスロスとに基づいて、前記移動局の前記接続基地局に対する送信電力を決定する送信電力決定部と、決定した送信電力を前記移動局に送信する送信電力送信部とを備え、
前記移動局は前記接続基地局から送信された前記送信電力に基づいて前記接続基地局との間で無線通信を行うことを特徴とする無線通信システム。
【請求項１２】
前記移動局の送信電力決定部又は前記接続基地局の送信電力決定部は、前記第１のパスロスから決定した第１の送信電力ＰＴＸ＿Ｓと、前記第２のパスロスから決定した第２の送信電力ＰＴＸ＿Ｉとを用いて、
【数１５】
2008107930.tif 000017
（ここで、ＰＴＸ＿ＭＡＸは前記移動局の最大送信電力を示す）により、前記移動局の前記送信電力ＰＴＸを決定することを特徴とする請求項１０又は１１に記載の無線通信システム。
【請求項１３】
前記移動局の送信電力決定部又は前記接続基地局の送信電力決定部は、前記第１のパスロスから決定した第１の送信電力ＰＴＸ＿Ｓと、前記第２のパスロスから決定した第２の送信電力ＰＴＸ＿Ｉのうち、いずれか小さい方を前記移動局の送信電力として決定することを特徴とする請求項１０又は１１に記載の無線通信システム。
【請求項１４】
前記移動局の送信電力決定部又は前記接続基地局の送信電力決定部は、前記第１のパスロスから決定した第１の送信電力ＰＴＸ＿Ｓと、前記第２のパスロスから決定した第２の送信電力ＰＴＸ＿Ｉとを用いて、
【数１６】
2008107930.tif 000018
（ここで、ＰＴＸ＿ＭＡＸは前記移動局の最大送信電力、αは０＜α＜１であるパラメータを示す）により、前記移動局の前記送信電力ＰＴＸを決定することを特徴とする請求項１０又は１１に記載の無線通信システム。
【請求項１５】
前記移動局の送信電力決定部又は前記接続基地局の送信電力決定部は、前記第１のパスロスから決定した第１の送信電力ＰＴＸ＿Ｓと、前記第２のパスロスから決定した第２の送信電力とを一定の割合α（０＜α＜１）で加算した値を前記移動局の送信電力として決定することを特徴とする請求項１０又は１１に記載の無線通信システム。
【請求項１６】
前記移動局の送信電力決定部又は前記接続基地局の送信電力決定部は、前記第１の送信電力ＰＴＸ＿Ｓを、
【数１７】
2008107930.tif 000019
（ここで、Ｌ０は前記第１のパスロス、βとＬｂａｓｅとＳＴａｒｇｅｔはパラメータを示す）により、決定することを特徴とする請求項１２から１５のいずれか一に記載の無線通信システム。
【請求項１７】
前記移動局の送信電力決定部又は前記接続基地局の送信電力決定部は、前記第２の送信電力ＰＴＸ＿Ｉを、
【数１８】
2008107930.tif 000020
（ここで、Ｌ１は前記第２のパスロス、γとＬｂａｓｅとＩＴａｒｇｅｔはパラメータ）により決定することを特徴とする請求項１２から１５のいずれか一に記載の無線通信システム。
【発明の詳細な説明】
【技術分野】
【０００１】  本発明は、移動局の送信電力を制御する送信電力制御方法、及び無線通信システムに関する。
【背景技術】
【０００２】  次世代携帯電話の高速データ通信仕様として、Ｅｖｏｌｖｅｄ  ＵＴＲＡＮシステム（又はＬＴＥ（Ｌｏｎｇ  Ｔｉｍｅ  Ｅｖｏｌｕｔｉｏｎ）、例えば以下の非特許文献１）がある。ＬＴＥでは、上りリンク方向（移動局から基地局方向）において時間軸方向と周波数軸方向に各ユーザ（或いは各移動局）を割り当てるようにスケジューリングを行い、パケットの高速通信が行われる。【０００３】  図１は無線基地局（以下、「基地局」）と移動局との関係を示す図である。第１の基地局１００の配下に第１の移動局１０が位置し、第２の基地局２００の配下に第２の移動局２０が位置する。第１の移動局１０からは第２の基地局２００が最も隣接した基地局（複数の基地局から送信された信号を受信した場合に２番目に受信電力が大きい基地局、最大隣接基地局ともいう）であり、第２の移動局２０からは第１の基地局１００が最大隣接基地局である。【０００４】  スケジューリングにより、例えば、第２の基地局２００において上りリンクの送信機会が割り当てられた第２の移動局２０は第１の基地局１００のセルへの干渉となる。一般に、セル中心に近い移動局ほど他セルへの干渉量は小さく、セル端に近い移動局ほど他セルへの干渉量が大きい傾向にある。【０００５】  また、かかるスケジューリングでは、フレーム毎に異なるユーザ（又は異なる移動局１０，２０）に割り当てられる可能性があるため、フレーム毎に他セルへの干渉量も変動する。図１においてはひとつの基地局にひとつの移動局しか接続していないが、実際には複数の移動局が同時にひとつの基地局に接続し、スケジューリングの対象となる。【０００６】  このようなことから、無線通信システムにおいては、他セルへの干渉を抑えつつスループットを向上させることが従来から望まれていた。【０００７】  一方、電波状況などの通信環境に応じて適応的に符号化率や変調方式を変える適応変調符号化（ＡＭＣ：Ａｄａｐｔｉｖｅ  Ｍｏｄｕｌａｔｉｏｎ  ａｎｄ  Ｃｏｄｉｎｇ、例えば以下の非特許文献２）がある。最適な符号化率や変調方式は通常ＳＩＲ（信号対干渉比：Ｓｉｇｎａｌ
ｔｏ  Ｉｎｔｅｒｆｅｒｅｎｃｅ  Ｒａｔｉｏ）に基づいて行われるが、ＳＩＲ測定時とパケット送信時とでタイムラグが生じ、ＳＩＲ値が変化してしまい、スループットの劣化が生じる可能性がある。このように、ＡＭＣの精度を保つためにも、安定した干渉電力の制御が望まれる。【０００８】  セル間の干渉量をできるだけ低く一定にしてＳＩＲを安定させるため、最大隣接基地局との間のパスロスＬ１を基準にして送信電力を決定する方式が提案されている（例えば、以下の非特許文献３）。この方式によれば、移動局の送信電力をＰＴＸ＿Ｉとすると、【０００９】
【数１】
2008107930.tif 000003
として表わすことができる（非特許文献３の式（１）参照）。ここで、γ０は目標のＣ／Ｎ（キャリア対雑音）値、（式１）の分母は２番目に大きいゲインを示す。ここで、ゲインは後述するパスロスの逆数と等しい。【００１０】  この（式１）をｄＢに書き換えると、【００１１】
【数２】
2008107930.tif 000004
となる。ここで、ＩＴａｒｇｅｔは他セルに位置する移動局からの隣接基地局における目標受信電力値（干渉電力値）、Ｌ１は他セルに位置する移動局と隣接基地局との間のパスロス（距離に依存した電力の減衰量）である。【００１２】  図１の例では、ＩＴａｒｇｅｔが第１の移動局１０からの第２の基地局２００における受信電力値を示し、Ｌ１が第１の移動局１０と第２の基地局２００との間のパスロスを示す。【００１３】  これにより、移動局からの受信干渉電力値（第２の基地局２００における第１の移動局１０の受信干渉電力値）を一定値ＩＴａｒｇｅｔにすることができる。【００１４】  しかし、この方式ではセル中心の移動局と比較してセル端の移動局の送信電力が小さくなることから、セル端の移動局においてＳＩＲが劣化しスループットが劣化する問題がある。【００１５】  一方、接続基地局における受信電力が一定になるように制御した場合の移動局の送信電力値ＰＴＸ＿Ｓは、【００１６】
【数３】
2008107930.tif 000005
として表わすことができる。ここで、ＳＴａｒｇｅｔはセル内の移動局からの接続基地局における受信電力値であり、Ｌ０はセル内移動局と接続基地局との間のパスロスを示す。図１の例では、ＳＴａｒｇｅｔは第１の基地局１００における第１の移動局１０からの受信電力値を示し、Ｌ０は第１の移動局１０と第１の基地局１００間のパスロスを示す。【００１７】  従来では、上述したセル端の移動局におけるスループットの劣化の問題に対して、２つの送信電力（（式２）で示すＰＴＸ＿Ｉと（式３）で示すＰＴＸ＿Ｓ）について大きい方を選択し、セル内の移動局に対する送信電力とする方式も提案されている（以下の非特許文献４）。すなわち、移動局の送信電力をＰＴＸとすると、【００１８】
【数４】
2008107930.tif 000006
により、送信電力を求めている。【００１９】  これにより、移動局において大きい送信電力が選択される。例えば、図１の例では、第１の移動局１０において第１の基地局１００に対するパスロスＬ０を考慮した送信電力ＰＴＸ＿Ｓと、第２の基地局２００に対するパスロスＬ１を考慮した送信電力ＰＴＸ＿Ｉのうち、大きい電力値の方を選択する。従って、本方式では、セル端の移動局の送信電力が増加してスループットが向上する。
【非特許文献１】３ＧＰＰ  ＴＲ２５．８１４，ｈｔｔｐ：／／ｗｗｗ．３ｇｐｐ．ｏｒｇ／
【非特許文献２】立川敬二  監修、「Ｗ−ＣＤＭＡ移動通信方式」、とくにｐ４０３、平成１３年６月２５日発行
【非特許文献３】３ＧＰＰ  Ｒ１−０６３５０６，ＩＰｗｉｒｅｌｅｓｓ，ｈｔｔｐ：／／ｗｗｗ．３ｇｐｐ．ｏｒｇ／
【非特許文献４】３ＧＰＰ  Ｒ１−０６３２３１，Ｔｅｘａｓ  Ｉｎｓｔｒｕｍｅｎｔｓ，ｈｔｔｐ：／／ｗｗｗ．３ｇｐｐ．ｏｒｇ／
【発明の開示】
【発明が解決しようとする課題】
【００２０】  しかしながら、（式４）により決定した送信電力により移動局から基地局に通信を行うと、セル中心の移動局に対しセル端の移動局の送信電力が増加するため、セル全体の干渉量が増加し、セル中心の移動局においてＳＩＲが劣化する問題がある。【００２１】  そこで、本発明は上記問題点に鑑みてなされたもので、その目的は、セル全体の干渉量を低く抑えつつ、高いスループットを実現するようにした送信電力制御方法と無線通信システムを提供することを目的とする。
【課題を解決するための手段】
【００２２】  上記目的を達成するために、本発明の一実施態様によれば、移動局と接続基地局との間で無線通信を行う無線通信システムにおいて前記移動局から前記接続基地局への送信データの送信電力を制御する送信電力制御方法であって、前記移動局と前記接続基地局との間の第１のパスロスと、前記移動局に最も隣接した基地局である隣接基地局と前記移動局との間の第２のパスロスとに基づいて、前記移動局の前記送信電力を決定することを特徴とする。【００２３】  また、上記目的を達成するために、本発明の他の実施態様によれば、移動局と接続基地局との間で無線通信を行う無線通信システムにおいて、前記移動局には、前記移動局と前記接続基地局との間の第１のパスロスと、前記移動局に最も隣接した基地局である隣接基地局と前記移動局との間の第２のパスロスとに基づいて、前記移動局の前記接続基地局に対する送信電力を決定する送信電力決定部と、決定された前記送信電力に基づいて前記移動局から前記接続基地局へデータを送信するデータ送信部とを備え、前記接続基地局には、前記移動局から送信された前記データを受信するデータ受信部を備えることを特徴とする。
【発明の効果】
【００２４】  本発明によれば、セル全体の干渉量を低く抑えつつ、高いスループットを実現するようにした送信電力制御方法と無線通信システムを提供することができる。
【図面の簡単な説明】
【００２５】
【図１】図１は無線通信システムの概念図ある。
【図２】図２は移動局の構成例を示す図である。
【図３】図３は移動局における処理の例を示すフローチャートである。
【図４】図４は基地局の構成例を示す図である。
【図５】図５は移動局の他の構成例を示す図である。
【図６】図６は移動局と基地局における処理の例を示すフローチャートである。
【符号の説明】
【００２６】１０：第１の移動局                    １１−１〜１１−Ｎ：受信電力測定部
１２−１〜１２−Ｎ：パスロス計算部    １３：並び替え部
１４：送信電力決定部                  １７：送信電力調整部
２０：第２の移動局                    ２１：ＴＰＣビット受信部
２２：送信電力決定部                  ２３：合成部
１００：第１の（無線）基地局          １１０：受信電力測定部
１２０：送信電力情報取得部            １３０：パスロス計算部
１４０：パスロス情報取得部
１５０：送信電力決定及びＴＰＣコマンド作成部（送信電力決定部）
２００：第２の（無線）基地局
【発明を実施するための最良の形態】
【００２７】  本発明を実施するための最良の形態について以下説明する。【００２８】  図１は本実施例における無線通信システムの概念図である。全体構成は従来技術で説明したので省略する。
【実施例１】
【００２９】  まず、実施例１について説明する。本実施例１は、第１の移動局１０（又は第２の移動局２０）における第１の基地局１００（又は第２の基地局２００）への送信電力を第１の移動局１０（又は第２の移動局２０）自身で決定し、それに基づいてパケットを送信する例である。【００３０】  図２は移動局１０，２０の構成例を示す図である。移動局１０，２０は受信電力測定部１１−１〜１１−Ｎと、パスロス計算部１２−１〜１２−Ｎと、並び替え部１３と、送信電力決定部１４と、符号化部１５と、変調部１６と、送信電力調整部１７とを備える。【００３１】  受信電力測定部１１−１〜１１−Ｎは、各基地局（＃１〜＃Ｎ）から送信された受信信号の受信電力値を測定する。受信電力測定部１１−１〜１１−Ｎは、例えば、各基地局から送信された共通パイロット信号を受信し、当該パイロット信号から受信電力値を測定する。尚、パイロット信号には各基地局を識別する信号が挿入され、各受信電力測定部１１−１〜１１−Ｎは、識別信号に基づいて各基地局からの受信電力値を測定する。なお、移動局の移動に伴う電力の瞬時変動の影響を除去するために、電力は一定時間平均してもよい。【００３２】  パスロス計算部１２−１〜１２−Ｎは、受信電力測定部１１−１〜１１−Ｎからの各受信電力値と、予め各基地局から送信された送信電力値とに基づいて、各基地局との間のパスロスを計算する。パスロス計算部１２−１〜１２−Ｎは、例えば、送信電力値から受信電力値を減算することでパスロスを計算する。【００３３】  並び替え部１３は、各パスロス計算部１２−１〜１２−Ｎからのパスロスを並び替えて、最も小さい値のパスロスＬ０と、２番目に小さい値のパスロスＬ１を出力する。最も小さい値のパスロスＬ０とは移動局と接続基地局との間（図１の例では、第１の移動局１０と第１の基地局１００との間）のパスロスであり、２番目に小さい値のパスロスＬ１とは移動局と最大隣接基地局との間（図１の例では、第１の移動局１０と第２の基地局２００との間）のパスロスのことである。パスロスとは、従来技術でも説明したように、移動局と基地局との間における電力の減衰量のことである。【００３４】  送信電力決定部１４は、並び替え部１３からの２つのパスロスＬ０，Ｌ１に基づいて、送信電力を決定する。具体的には、送信電力決定部１４は以下の式を演算して送信電力ＰＴＸを決定する。【００３５】
【数５】
2008107930.tif 000007
又は、【００３６】
【数６】
2008107930.tif 000008
ここで、ＰＴＸ＿Ｓは接続基地局との間のパスロスＬ０に基づいて決定した送信電力であり、ＰＴＸ＿Ｉは最大隣接基地局との間のパスロスＬ１に基づいて決定した送信電力である。つまり、（式５）及び（式６）は、２つの送信電力ＰＴＸ＿Ｓ，ＰＴＸ＿Ｉのうち低い方の送信電力値を移動局１０，２０の送信電力とすることを示している。【００３７】  図１の例では、送信電力ＰＴＸ＿Ｓが第１の移動局１０から第１の基地局（接続基地局）１００へのパスロスＬ０に基づく送信電力であり、送信電力ＰＴＸ＿Ｉが第１の移動局１０から第２の基地局（隣接基地局）２００へのパスロスＬ１に基づく送信電力である。そして、２つの送信電力ＰＴＸ＿Ｓ，ＰＴＸ＿Ｉのうち低い方を第１の移動局１０における第１の基地局１００への送信電力とする。【００３８】  尚、（式５）と（式６）は、送信電力ＰＴＸを移動局の最大送信電力ＰＴＸ＿ＭＡＸ以下とするか（式５）、そうでないか（式６）の違いだけであり、実質的に同じ内容を示す式である。【００３９】  この２つの送信電力ＰＴＸ＿Ｓ，ＰＴＸ＿Ｉを求めるには、送信電力決定部１４において、以下の式を演算する。【００４０】
【数７】
2008107930.tif 000009
【００４１】
【数８】
2008107930.tif 000010
ここで、ＳＴａｒｇｅｔは、従来技術でも説明したように、セル内の移動局からの接続基地局における受信電力値を示し、ＩＴａｒｇｅｔは隣接セルの移動局からの当該接続基地局における受信電力値を示す。また、Ｌｂａｓｅと、Ｌｂａｓｅ’はパラメータ（基準パスロス）を示し、β及びγもパラメータを示す。【００４２】  つまり、（式７）に示すように、仮の送信電力値ＰＴＸ＿Ｓは、接続基地局との間のパスロスＬ０に基づいて計算され、（式８）に示すように、仮の送信電力値ＰＴＸ＿Ｉは最大隣接基地局との間のパスロスＬ１に基づいて計算される。そして、これらを（式５）又は（式６）に代入することで、実際の送信電力ＰＴＸが決定される。送信電力決定部１４において、（式５）から（式８）の演算が実行される。【００４３】  送信電力決定部１４は、決定した送信電力を送信電力調整部１７に出力する。【００４４】  符号化部１５は送信データを一定の符号化率で符号化する。変調部１６は符号化データに対して所定の変調方式（例えば、１６ＱＡＭ、６４ＱＡＭ、ＱＰＳＫ等）で変調する。【００４５】  送信電力調整部１７は、送信電力決定部１４からの送信電力値で送信できるように電力値を調整して、変調したデータを送信する。【００４６】  次に動作について説明する。図３は、移動局１０，２０における処理の例を示すフローチャートである。移動局１０，２０において処理が開始されると（Ｓ１０）、受信電力測定部１１−１〜１１−Ｎは各セルの（各基地局からの）受信電力値を測定する（Ｓ１１）。【００４７】  次いで、パスロス計算部１２−１〜１２−Ｎは各セルのパスロスを計算する（Ｓ１２）。そして、並び替え部１３は計算した各パスロスから接続基地局に対するパスロスＬ０と隣接基地局に対するパスロスＬ１とを求める（Ｓ１３）。【００４８】  次いで、送信電力決定部１４は、２つのパスロスＬ０，Ｌ１から、（式７）及び（式８）を用いて、パスロスに基づく２つの送信電力値ＰＴＸ＿Ｓ，ＰＴＸ＿Ｉを計算する。そして、送信電力決定部１４は小さい値の送信電力値（（式５）又は（式６））を移動局の送信電力として決定する（Ｓ１４）。決定の際に、移動局の最大送信電力値を超えないようにしてもよい（式（６））。【００４９】  次いで、送信電力調整部１７は決定した送信電力でパケットを送信できるように送信電力を調整し（Ｓ１５）、当該パケットを送信する（Ｓ１６）。そして、一連の処理が終了する。【００５０】  図１に示す例では、第１の移動局１０において第１の基地局１００（接続基地局）への送信電力を決定する際に、基地局１００，２００へのパスロスＬ０，Ｌ１を考慮して接続基地局１００と最大隣接基地局２００の２つに対する送信電力ＰＴＸ＿Ｓ，ＰＴＸ＿Ｉを計算し、そのうち小さい方を送信電力としている。よって、第１の基地局１００におけるセル端の移動局の送信電力を低く抑える一方で、セル中心の移動局の送信電力も抑圧できる。【００５１】  また、本実施例の方式では、セル端の移動局においては送信電力を小さくすることができるため、従来技術の（式３）による場合よりも、セル端の移動局のＳＩＲを劣化させないようにすることができ、また、他セルへの干渉を小さくすることができる。また、（式４）による場合と比較しても、セル端の移動局の送信電力を小さくすることができ、他セルへの干渉量も小さくすることができる。更に、移動局１０，２０の送信電力を小さくできるため、セル端の移動局はもとより、セル中心付近の移動局の送信電力も小さくすることができ、消費電力の削減が実現できる。【００５２】  上述した例では、パスロスＬ０，Ｌ１に基づいて演算した２つの送信電力ＰＴＸ＿Ｓ，ＰＴＸ＿Ｉについて、小さい方を移動局１０，２０の送信電力とする例（（式５）又は（式６））について説明した。（式５）及び（式６）に代えて、以下の式を用いて送信電力ＰＴＸを決定してもよい。【００５３】
【数９】
2008107930.tif 000011
【００５４】
【数１０】
2008107930.tif 000012
２つの式は、パラメータα（０＜α＜１）により２つの送信電力ＰＴＸ＿Ｓ，ＰＴＸ＿Ｉをある割合αで加算し、その値を移動局１０，２０の送信電力ＰＴＸとしていることを示す。【００５５】  尚、この２つの式は移動局１０，２０の最大送信電力ＰＴＸ＿ＭＡＸより超えない範囲で送信電力を求めるか（（式９）の場合）、そうでないか（（式１０）の場合）の違いだけである。【００５６】  （式９）又は（式１０）では、送信電力ＰＴＸ＿Ｓ，ＰＴＸ＿Ｉを一定の割合で組み合わせることにより通信状況等に応じて最適な送信電力ＰＴＸが選択できる。従って、この（式９）又は（式１０）による場合でも、セル端及びセル中心に位置する移動局のＳＩＲが向上し、高いスループットを実現できる。【００５７】  パスロスＬ０，Ｌ１に基づく２つの送信電力ＰＴＸ＿Ｓ，ＰＴＸ＿Ｉは、上述した例と同様に、（式７）及び（式８）を用いて演算される。（式９）等の演算も、送信電力決定部１４で行われる。
【実施例２】
【００５８】  次に実施例２について説明する。本実施例２は、第１の基地局１００（又は第２の基地局２００）が第１の移動局１０（又は第２の移動局２０）の送信電力を決定し、決定した送信電力に基づいて第１の基地局１００（又は第２の基地局２００）が第１の移動局１０（又は第２の移動局２０）の送信電力を制御する例である。無線通信システムの全体構成は実施例１と同様に図１に示し、その説明を省略する。【００５９】  図４は基地局１００，２００の構成例を示し、図５は移動局１０，２０の構成例を示す。基地局１００，２００は、図４に示すように、受信電力測定部１１０と、送信電力情報取得部１２０と、パスロス計算部１３０と、パスロス情報取得部１４０と、送信電力決定部及びＴＰＣコマンド作成部（以下、「送信電力決定部」）１５０と、ＴＰＣコマンド送信部１６０とを備える。【００６０】  基地局１００を例に挙げると、受信電力測定部１１０は、上り方向の受信電力を測定する。例えば、受信電力測定部１１０は、移動局１０から周期的に送信されるパイロット信号から受信電力を測定する。【００６１】  送信電力情報取得部１２０は、移動局１０から送信された送信電力値を取得する。移動局１０における送信電力値の送信は後述する。【００６２】  パスロス計算部１３０は、受信電力測定部１１０からの受信電力値と、送信電力情報取得部１２０からの送信電力値とから、セル内の移動局と接続基地局との間のパスロスＬ０を計算する。パスロス計算部１３０は、送信電力値から受信電力値を減算することでパスロスＬ０を計算する。図１の例では、第１の移動局１０から第１の基地局（接続基地局）１００へのパスロスＬ０が計算される。【００６３】  パスロス情報取得部１４０は、最大隣接基地局に対するパスロスＬ１が移動局１０，２０から送信され、それを取得する。接続基地局では、配下の移動局の最大隣接基地局に対するパスロスＬ１を、移動局１０から取得するようにしている。例えば、図１において、第１の基地局１００では第１の移動局１０における最大隣接基地局２００に対するパスロスＬ１を第１の移動局１０から取得する。移動局１０におけるパスロスＬ１の送信は後述する。【００６４】  送信電力決定部１５０は、２つのパスロスＬ０，Ｌ１から送信電力を決定し、その送信電力値となるように制御コマンド（本例ではＴＰＣコマンド）を作成する。送信電力の決定は、実施例１と同様である。すなわち、２つのパスロスＬ０，Ｌ１から（式７）及び（式８）を用いて、パスロスに基づく２つの仮の送信電力ＰＴＸ＿Ｓ，ＰＴＸ＿Ｉを計算する。そして、この２つの送信電力ＰＴＸ＿Ｓ，ＰＴＸ＿Ｉから（式５）又は（式６）を用いて、低い方の送信電力ＰＴＸ＿Ｓ，ＰＴＸ＿Ｉを移動局１０，２０の実際の送信電力ＰＴＸとする。或いは、（式９）又は（式１０）を用いて、一定の割合αで２つの送信電力ＰＴＸ＿Ｓ，ＰＴＸ＿Ｉを加算した値を移動局１０，２０の送信電力ＰＴＸとする。【００６５】  例えば、図１の例において、第１の基地局１００では、第１の移動局１０における接続基地局１００のパスロスＬ０を考慮した送信電力ＰＴＸ＿Ｓと、最大隣接基地局２００のパスロスＬ１を考慮した送信電力ＰＴＸ＿Ｉのうち低い方の送信電力を、第１の移動局１０の送信電力ＰＴＸとする。【００６６】  送信電力決定部１５０は、送信電力情報取得部１２０からの送信電力情報に対して、決定した送信電力を目標値として、どれだけ値を加算、又は減算すればよいかを示すＴＰＣコマンドを作成する。【００６７】  ＴＰＣコマンド送信部１６０は、作成されたＴＰＣコマンドを移動局１０，２０に送信する。【００６８】  図５は移動局１０，２０の構成例である。実施例１（図２）と同一構成部には同一符号を付し、詳細な説明を省略する。【００６９】  移動局１０，２０は、受信電力測定部１１−１〜１１−Ｎと、パスロス計算部１２−１〜１２−Ｎと、並び替え部１３と、符号化部１５と、変調部１６と、送信電力調整部１７と、ＴＰＣビット受信部２１と、送信電力決定部２２と、合成部２３とを備える。【００７０】  例えば、移動局１０において、ＴＰＣビット受信部２１は、基地局１００から送信されたＴＰＣビットを受信する。送信電力決定部２２は、ＴＰＣビットと現在の送信電力値とから、目標とすべき送信電力を決定する。送信電力調整部１７は、決定した送信電力でデータが送信できるように電力値を調整する。【００７１】  尚、基地局１００，２００における送信電力情報取得部１２０でそれぞれ移動局１０，２０の送信電力が取得できるように、送信電力決定部２２で決定された送信電力は合成部２３を介して多重され（周波数多重、時間多重など）基地局１００，２００に送信される。【００７２】  また、基地局１００，２００におけるパスロス情報取得部１４０で、隣接基地局に対するパスロスＬ１が取得できるように、並び替え部１３から出力されるパスロスＬ１は合成部２３を介して基地局１００，２００に送信される。並び替え部１３では、２番目に小さいパスロス値が最大隣接基地局に対するパスロスＬ１として選択され、これを出力する。受信電力測定部１１−１〜１１−Ｎと、パスロス計算部１２−１〜１２−Ｎの動作は、実施例１と同様である。【００７３】  次に全体動作について説明する。図６は処理の例を示すフローチャートである。例として、第２の基地局２００配下にある第２の移動局２０を中心にして、第１の基地局１００が最大隣接基地局であり、第２の基地局２００が接続基地局とする。【００７４】  隣接基地局１００や移動局２０、及び接続基地局２００で処理が開始されると（Ｓ２０，Ｓ３０，Ｓ４０）、隣接基地局１００から移動局２０に共通パイロット信号が送信される（Ｓ２１）。同様に、接続基地局２００からも移動局２０に共通パイロット信号が送信される（Ｓ４１）。【００７５】  移動局２０では、この共通パイロット信号から（下り方向の）受信電力を測定する（Ｓ３１）。受信電力測定部１１−１〜１１−Ｎにおいて測定される。【００７６】  次いで、送信電力決定部２２から合成部２３を介して、送信電力値が送信される（Ｓ３２）。例えば、送信電力決定部２２のメモリに記憶された送信電力値が読み出されて、送信される。【００７７】  一方、接続基地局２００では移動局２０からの共通パイロット信号を受信して、受信電力測定部１１０において上り方向の受信電力を測定する。そして、パスロス計算部１３０では、測定した上り方向の受信電力と送信電力（Ｓ３２）から、接続基地局２００に対するパスロスＬ０を計算する（Ｓ４２）。例えば、パスロス計算部１３０は、送信電力から受信電力を減算してパスロスＬ０を計算する。【００７８】  一方、移動局２０では、測定した受信電力（Ｓ３１）に基づいて最大隣接基地局のパスロスＬ１を計算し、合成部２３を介して送信する（Ｓ３３）。【００７９】  接続基地局２００では、送信されたパスロスＬ１と計算したパスロスＬ０とから移動局２０の送信電力を計算し（Ｓ４３）、ＴＰＣビットを作成し移動局２０に送信する（Ｓ４４）。【００８０】  移動局２０では、送信されたＴＰＣビットを受信し（Ｓ３４）、このコマンドに基づいて送信電力が調整され、調整された送信電力でパケットを送信する（Ｓ３５）。【００８１】  接続基地局２００では移動局２０からのパケットを受信し（Ｓ４５）、隣接基地局１００、移動局２０、及び接続基地局２００において一連の処理が終了する（Ｓ２２，Ｓ３６，Ｓ４６）。【００８２】  このように本実施例においても、送信電力の決定を接続基地局で行うこと以外は実施例１と同様のため、セル端の移動局のＳＩＲを劣化させず、セル全体の干渉量を低く抑えつつ、移動局のスループットを向上させることができるという実施例１の効果を奏する。
【図１】
2008107930.tif 000021
【図２】
2008107930.tif 000022
【図３】
2008107930.tif 000023
【図４】
2008107930.tif 000024
【図５】
2008107930.tif 000025
【図６】
2008107930.tif 000026
【手続補正書】
【提出日】平成21年3月19日(2009.3.19)
【手続補正１】
【補正対象書類名】明細書
【補正対象項目名】全文
【補正方法】変更
【補正の内容】
【発明の詳細な説明】
【技術分野】
【０００１】
本発明は、移動局の送信電力を制御する送信電力制御方法、及び無線通信システムに関する。
【背景技術】
【０００２】
次世代携帯電話の高速データ通信仕様として、Ｅｖｏｌｖｅｄ  ＵＴＲＡＮシステム（又はＬＴＥ（Long Time Evolution）、例えば以下の非特許文献１）がある。ＬＴＥでは、上りリンク方向（移動局から基地局方向）において時間軸方向と周波数軸方向に各ユーザ（或いは各移動局）を割り当てるようにスケジューリングを行い、パケットの高速通信が行われる。
【０００３】
図１は無線基地局（以下、「基地局」）と移動局との関係を示す図である。第１の基地局１００の配下に第１の移動局１０が位置し、第２の基地局２００の配下に第２の移動局２０が位置する。第１の移動局１０からは第２の基地局２００が最も隣接した基地局（複数の基地局から送信された信号を受信した場合に２番目に受信電力が大きい基地局、最大隣接基地局ともいう）であり、第２の移動局２０からは第１の基地局１００が最大隣接基地局である。
【０００４】
スケジューリングにより、例えば、第２の基地局２００において上りリンクの送信機会が割り当てられた第２の移動局２０は第１の基地局１００のセルへの干渉となる。一般に、セル中心に近い移動局ほど他セルへの干渉量は小さく、セル端に近い移動局ほど他セルへの干渉量が大きい傾向にある。
【０００５】
また、かかるスケジューリングでは、フレーム毎に異なるユーザ（又は異なる移動局１０，２０）に割り当てられる可能性があるため、フレーム毎に他セルへの干渉量も変動する。図１においてはひとつの基地局にひとつの移動局しか接続していないが、実際には複数の移動局が同時にひとつの基地局に接続し、スケジューリングの対象となる。
【０００６】
このようなことから、無線通信システムにおいては、他セルへの干渉を抑えつつスループットを向上させることが従来から望まれていた。
【０００７】
一方、電波状況などの通信環境に応じて適応的に符号化率や変調方式を変える適応変調符号化（ＡＭＣ：Adaptive Modulation and Coding、例えば以下の非特許文献２）がある。最適な符号化率や変調方式は通常ＳＩＲ（信号対干渉比：Signal to Interference Ratio）に基づいて行われるが、ＳＩＲ測定時とパケット送信時とでタイムラグが生じ、ＳＩＲ値が変化してしまい、スループットの劣化が生じる可能性がある。このように、ＡＭＣの精度を保つためにも、安定した干渉電力の制御が望まれる。
【０００８】
セル間の干渉量をできるだけ低く一定にしてＳＩＲを安定させるため、最大隣接基地局との間のパスロスＬ１を基準にして送信電力を決定する方式が提案されている（例えば、以下の非特許文献３）。この方式によれば、移動局の送信電力をＰＴｘ_Ｉとすると、
【０００９】
【数１】
2008107930.tif 000027
として表わすことができる（非特許文献３の式（１）参照）。ここで、γ０は目標のＣ／Ｎ（キャリア対雑音）値、（式１）の分母は２番目に大きいゲインを示す。ここで、ゲインは後述するパスロスの逆数と等しい。
【００１０】
この（式１）をｄＢに書き換えると、
【００１１】
【数２】
2008107930.tif 000028
となる。ここで、ＩＴａｒｇｅｔは他セルに位置する移動局からの隣接基地局における目標受信電力値（干渉電力値）、Ｌ１は他セルに位置する移動局と隣接基地局との間のパスロス（距離に依存した電力の減衰量）である。
【００１２】
図１の例では、ＩＴａｒｇｅｔが第１の移動局１０からの第２の基地局２００における受信電力値を示し、Ｌ１が第１の移動局１０と第２の基地局２００との間のパスロスを示す。
【００１３】
これにより、移動局からの受信干渉電力値（第２の基地局２００における第１の移動局１０の受信干渉電力値）を一定値ＩＴａｒｇｅｔにすることができる。
【００１４】
しかし、この方式ではセル中心の移動局と比較してセル端の移動局の送信電力が小さくなることから、セル端の移動局においてＳＩＲが劣化しスループットが劣化する問題がある。
【００１５】
一方、接続基地局における受信電力が一定になるように制御した場合の移動局の送信電力値ＰＴＸ_Ｓは、
【００１６】
【数３】
2008107930.tif 000029
として表わすことができる。ここで、ＳＴａｒｇｅｔはセル内の移動局からの接続基地局における受信電力値であり、Ｌ０はセル内移動局と接続基地局との間のパスロスを示す。図１の例では、ＳＴａｒｇｅｔは第１の基地局１００における第１の移動局１０からの受信電力値を示し、Ｌ０は第１の移動局１０と第１の基地局１００間のパスロスを示す。
【００１７】
従来では、上述したセル端の移動局におけるスループットの劣化の問題に対して、２つの送信電力（（式２）で示すＰＴＸ_Ｉと（式３）で示すＰＴＸ_Ｓ）について大きい方を選択し、セル内の移動局に対する送信電力とする方式も提案されている（以下の非特許文献４）。すなわち、移動局の送信電力をＰＴＸとすると、
【００１８】
【数４】
2008107930.tif 000030
により、送信電力を求めている。
【００１９】
これにより、移動局において大きい送信電力が選択される。例えば、図１の例では、第１の移動局１０において第１の基地局１００に対するパスロスＬ０を考慮した送信電力ＰＴＸ_Ｓと、第２の基地局２００に対するパスロスＬ１を考慮した送信電力ＰＴＸ_Ｉのうち、大きい電力値の方を選択する。従って、本方式では、セル端の移動局の送信電力が増加してスループットが向上する。
【先行技術文献】
【非特許文献】
【００２０】
【非特許文献１】3GPP TR25.814, http://www.3gpp.org/
【非特許文献２】立川敬二  監修、「Ｗ−ＣＤＭＡ移動通信方式」、とくにｐ４０３、平成１３年６月２５日発行
【非特許文献３】3GPP R1-063506, IP wireless, http://www.3gpp.org/
【非特許文献４】3GPP R1-063231, Texas Instruments, http://www.3gpp.org/
【発明の概要】
【発明が解決しようとする課題】
【００２１】
しかしながら、（式４）により決定した送信電力により移動局から基地局に通信を行うと、セル中心の移動局に対しセル端の移動局の送信電力が増加するため、セル全体の干渉量が増加し、セル中心の移動局においてＳＩＲが劣化する問題がある。
【００２２】
そこで、本発明は上記問題点に鑑みてなされたもので、その目的は、セル全体の干渉量を低く抑えつつ、高いスループットを実現するようにした送信電力制御方法と無線通信システムを提供することを目的とする。
【課題を解決するための手段】
【００２３】
上記目的を達成するために、本発明の一実施態様によれば、移動局と接続基地局との間で無線通信を行う無線通信システムにおいて前記移動局から前記接続基地局への送信データの送信電力を制御する送信電力制御方法であって、前記移動局と前記接続基地局との間の第１のパスロスと、前記移動局に最も隣接した基地局である隣接基地局と前記移動局との間の第２のパスロスとに基づいて、前記移動局の前記送信電力を決定することを特徴とする。
【００２４】
また、上記目的を達成するために、本発明の他の実施態様によれば、移動局と接続基地局との間で無線通信を行う無線通信システムにおいて、前記移動局には、前記移動局と前記接続基地局との間の第１のパスロスと、前記移動局に最も隣接した基地局である隣接基地局と前記移動局との間の第２のパスロスとに基づいて、前記移動局の前記接続基地局に対する送信電力を決定する送信電力決定部と、決定された前記送信電力に基づいて前記移動局から前記接続基地局へデータを送信するデータ送信部とを備え、前記接続基地局には、前記移動局から送信された前記データを受信するデータ受信部を備えることを特徴とする。
【発明の効果】
【００２５】
本発明によれば、セル全体の干渉量を低く抑えつつ、高いスループットを実現するようにした送信電力制御方法と無線通信システムを提供することができる。
【図面の簡単な説明】
【００２６】
【図１】図１は無線通信システムの概念図ある。
【図２】図２は移動局の構成例を示す図である。
【図３】図３は移動局における処理の例を示すフローチャートである。
【図４】図４は基地局の構成例を示す図である。
【図５】図５は移動局の他の構成例を示す図である。
【図６】図６は移動局と基地局における処理の例を示すフローチャートである。
【発明を実施するための形態】
【００２７】
本発明を実施するための最良の形態について以下説明する。
【００２８】
図１は本実施例における無線通信システムの概念図である。全体構成は従来技術で説明したので省略する。
【実施例１】
【００２９】
まず、実施例１について説明する。本実施例１は、第１の移動局１０（又は第２の移
まず、実施例１について説明する。本実施例１は、第１の移動局１０（又は第２の移動局２０）における第１の基地局１００（又は第２の基地局２００）への送信電力を第１の移動局１０（又は第２の移動局２０）自身で決定し、それに基づいてパケットを送信する例である。
【００３０】
図２は移動局１０，２０の構成例を示す図である。移動局１０，２０は受信電力測定部１１−１〜１１−Ｎと、パスロス計算部１２−１〜１２−Ｎと、並び替え部１３と、送信電力決定部１４と、符号化部１５と、変調部１６と、送信電力調整部１７とを備える。
【００３１】
受信電力測定部１１−１〜１１−Ｎは、各基地局（＃１〜＃Ｎ）から送信された受信信号の受信電力値を測定する。受信電力測定部１１−１〜１１−Ｎは、例えば、各基地局から送信された共通パイロット信号を受信し、当該パイロット信号から受信電力値を測定する。尚、パイロット信号には各基地局を識別する信号が挿入され、各受信電力測定部１１−１〜１１−Ｎは、識別信号に基づいて各基地局からの受信電力値を測定する。なお、移動局の移動に伴う電力の瞬時変動の影響を除去するために、電力は一定時間平均してもよい。
【００３２】
パスロス計算部１２−１〜１２−Ｎは、受信電力測定部１１−１〜１１−Ｎからの各受信電力値と、予め各基地局から送信された送信電力値とに基づいて、各基地局との間のパスロスを計算する。パスロス計算部１２−１〜１２−Ｎは、例えば、送信電力値から受信電力値を減算することでパスロスを計算する。
【００３３】
並び替え部１３は、各パスロス計算部１２−１〜１２−Ｎからのパスロスを並び替えて、最も小さい値のパスロスＬ０と、２番目に小さい値のパスロスＬ１を出力する。最も小さい値のパスロスＬ０とは移動局と接続基地局との間（図１の例では、第１の移動局１０と第１の基地局１００との間）のパスロスであり、２番目に小さい値のパスロスＬ１とは移動局と最大隣接基地局との間（図１の例では、第１の移動局１０と第２の基地局２００との間）のパスロスのことである。パスロスとは、従来技術でも説明したように、移動局と基地局との間における電力の減衰量のことである。
【００３４】
送信電力決定部１４は、並び替え部１３からの２つのパスロスＬ０，Ｌ１に基づいて、送信電力を決定する。具体的には、送信電力決定部１４は以下の式を演算して送信電力ＰＴＸを決定する。
【００３５】
【数５】
2008107930.tif 000031
又は、
【００３６】
【数６】
2008107930.tif 000032
ここで、ＰＴＸ_Ｓは接続基地局との間のパスロスＬ０に基づいて決定した送信電力であり、ＰＴＸ_Ｉは最大隣接基地局との間のパスロスＬ１に基づいて決定した送信電力である。つまり、（式５）及び（式６）は、２つの送信電力ＰＴＸ_Ｓ，ＰＴＸ_Ｉのうち低い方の送信電力値を移動局１０，２０の送信電力とすることを示している。
【００３７】
図１の例では、送信電力ＰＴＸ_Ｓが第１の移動局１０から第１の基地局（接続基地局）１００へのパスロスＬ０に基づく送信電力であり、送信電力ＰＴＸ_Ｉが第１の移動局１０から第２の基地局（隣接基地局）２００へのパスロスＬ１に基づく送信電力である。そして、２つの送信電力ＰＴＸ_Ｓ，ＰＴＸ_Ｉのうち低い方を第１の移動局１０における第１の基地局１００への送信電力とする。
【００３８】
尚、（式５）と（式６）は、送信電力ＰＴＸを移動局の最大送信電力ＰＴＸ_ＭＡＸ以下とするか（式５）、そうでないか（式６）の違いだけであり、実質的に同じ内容を示す式である。
【００３９】
この２つの送信電力ＰＴＸ_Ｓ，ＰＴＸ_Ｉを求めるには、送信電力決定部１４において、以下の式を演算する。
【００４０】
【数７】
2008107930.tif 000033
【００４１】
【数８】
2008107930.tif 000034
ここで、ＳＴａｒｇｅｔは、従来技術でも説明したように、セル内の移動局からの接続基地局における受信電力値を示し、ＩＴａｒｇｅｔは隣接セルの移動局からの当該接続基地局における受信電力値を示す。また、Ｌｂａｓｅと、Ｌｂａｓｅ’はパラメータ（基準パスロス）を示し、β及びγもパラメータを示す。
【００４２】
つまり、（式７）に示すように、仮の送信電力値ＰＴＸ_Ｓは、接続基地局との間のパ
スロスＬ０に基づいて計算され、（式８）に示すように、仮の送信電力値ＰＴＸ_Ｉは最大隣接基地局との間のパスロスＬ１に基づいて計算される。そして、これらを（式５）又は（式６）に代入することで、実際の送信電力ＰＴＸが決定される。送信電力決定部１４において、（式５）から（式８）の演算が実行される。
【００４３】
送信電力決定部１４は、決定した送信電力を送信電力調整部１７に出力する。
【００４４】
符号化部１５は送信データを一定の符号化率で符号化する。変調部１６は符号化データに対して所定の変調方式（例えば、１６ＱＡＭ、６４ＱＡＭ、ＱＰＳＫ等）で変調する。
【００４５】
送信電力調整部１７は、送信電力決定部１４からの送信電力値で送信できるように電力値を調整して、変調したデータを送信する。
【００４６】
次に動作について説明する。図３は、移動局１０，２０における処理の例を示すフローチャートである。移動局１０，２０において処理が開始されると（Ｓ１０）、受信電力測定部１１−１〜１１−Ｎは各セルの（各基地局からの）受信電力値を測定する（Ｓ１１）。
【００４７】
次いで、パスロス計算部１２−１〜１２−Ｎは各セルのパスロスを計算する（Ｓ１２）。そして、並び替え部１３は計算した各パスロスから接続基地局に対するパスロスＬ０と隣接基地局に対するパスロスＬ１とを求める（Ｓ１３）。
【００４８】
次いで、送信電力決定部１４は、２つのパスロスＬ０，Ｌ１から、（式７）及び（式８）を用いて、パスロスに基づく２つの送信電力値ＰＴＸ_Ｓ，ＰＴＸ_Ｉを計算する。そして、送信電力決定部１４は小さい値の送信電力値（（式５）又は（式６））を移動局の送信電力として決定する（Ｓ１４）。決定の際に、移動局の最大送信電力値を超えないようにしてもよい（式（６））。
【００４９】
次いで、送信電力調整部１７は決定した送信電力でパケットを送信できるように送信電力を調整し（Ｓ１５）、当該パケットを送信する（Ｓ１６）。そして、一連の処理が終了する。
【００５０】
図１に示す例では、第１の移動局１０において第１の基地局１００（接続基地局）への送信電力を決定する際に、基地局１００，２００へのパスロスＬ０，Ｌ１を考慮して接続基地局１００と最大隣接基地局２００の２つに対する送信電力ＰＴＸ_Ｓ，ＰＴＸ_Ｉを計算し、そのうち小さい方を送信電力としている。よって、第１の基地局１００におけるセル端の移動局の送信電力を低く抑える一方で、セル中心の移動局の送信電力も抑圧できる。
【００５１】
また、本実施例の方式では、セル端の移動局においては送信電力を小さくすることができるため、従来技術の（式３）による場合よりも、セル端の移動局のＳＩＲを劣化させないようにすることができ、また、他セルへの干渉を小さくすることができる。また、（式４）による場合と比較しても、セル端の移動局の送信電力を小さくすることができ、他セルへの干渉量も小さくすることができる。更に、移動局１０，２０の送信電力を小さくできるため、セル端の移動局はもとより、セル中心付近の移動局の送信電力も小さくすることができ、消費電力の削減が実現できる。
【００５２】
上述した例では、パスロスＬ０，Ｌ１に基づいて演算した２つの送信電力ＰＴＸ_Ｓ，ＰＴＸ_Ｉについて、小さい方を移動局１０，２０の送信電力とする例（（式５）又は（式６））について説明した。（式５）及び（式６）に代えて、以下の式を用いて送信電力ＰＴＸを決定してもよい。
【００５３】
【数９】
2008107930.tif 000035
【００５４】
【数１０】
2008107930.tif 000036
２つの式は、パラメータα（０＜α＜１）により２つの送信電力ＰＴＸ_Ｓ，ＰＴＸ_Ｉをある割合αで加算し、その値を移動局１０，２０の送信電力ＰＴＸとしていることを示す。
【００５５】
尚、この２つの式は移動局１０，２０の最大送信電力ＰＴＸ_ＭＡＸより超えない範囲で送信電力を求めるか（（式９）の場合）、そうでないか（（式１０）の場合）の違いだけである。
【００５６】
（式９）又は（式１０）では、送信電力ＰＴＸ_Ｓ，ＰＴＸ_Ｉを一定の割合で組み合わせることにより通信状況等に応じて最適な送信電力ＰＴＸが選択できる。従って、この（式９）又は（式１０）による場合でも、セル端及びセル中心に位置する移動局のＳＩＲが向上し、高いスループットを実現できる。
【００５７】
パスロスＬ０，Ｌ１に基づく２つの送信電力ＰＴＸ_Ｓ，ＰＴＸ_Ｉは、上述した例と同様に、（式７）及び（式８）を用いて演算される。（式９）等の演算も、送信電力決定部１４で行われる。
【実施例２】
【００５８】
次に実施例２について説明する。本実施例２は、第１の基地局１００（又は第２の基地局２００）が第１の移動局１０（又は第２の移動局２０）の送信電力を決定し、決定した送信電力に基づいて第１の基地局１００（又は第２の基地局２００）が第１の移動局１０（又は第２の移動局２０）の送信電力を制御する例である。無線通信システムの全体構成は実施例１と同様に図１に示し、その説明を省略する。
【００５９】
図４は基地局１００，２００の構成例を示し、図５は移動局１０，２０の構成例を示す。基地局１００，２００は、図４に示すように、受信電力測定部１１０と、送信電力情報取得部１２０と、パスロス計算部１３０と、パスロス情報取得部１４０と、送信電力決定部及びＴＰＣコマンド作成部（以下、「送信電力決定部」）１５０と、ＴＰＣコマンド送信部１６０とを備える。
【００６０】
基地局１００を例に挙げると、受信電力測定部１１０は、上り方向の受信電力を測定する。例えば、受信電力測定部１１０は、移動局１０から周期的に送信されるパイロット信号から受信電力を測定する。
【００６１】
送信電力情報取得部１２０は、移動局１０から送信された送信電力値を取得する。移動局１０における送信電力値の送信は後述する。
【００６２】
パスロス計算部１３０は、受信電力測定部１１０からの受信電力値と、送信電力情報取得部１２０からの送信電力値とから、セル内の移動局と接続基地局との間のパスロスＬ０を計算する。パスロス計算部１３０は、送信電力値から受信電力値を減算することでパスロスＬ０を計算する。図１の例では、第１の移動局１０から第１の基地局（接続基地局）１００へのパスロスＬ０が計算される。
【００６３】
パスロス情報取得部１４０は、最大隣接基地局に対するパスロスＬ１が移動局１０，２０から送信され、それを取得する。接続基地局では、配下の移動局の最大隣接基地局に対するパスロスＬ１を、移動局１０から取得するようにしている。例えば、図１において、第１の基地局１００では第１の移動局１０における最大隣接基地局２００に対するパスロスＬ１を第１の移動局１０から取得する。移動局１０におけるパスロスＬ１の送信は後述する。
【００６４】
送信電力決定部１５０は、２つのパスロスＬ０，Ｌ１から送信電力を決定し、その送信電力値となるように制御コマンド（本例ではＴＰＣコマンド）を作成する。送信電力の決定は、実施例１と同様である。すなわち、２つのパスロスＬ０，Ｌ１から（式７）及び（式８）を用いて、パスロスに基づく２つの仮の送信電力ＰＴＸ_Ｓ，ＰＴＸ_Ｉを計算する。そして、この２つの送信電力ＰＴＸ_Ｓ，ＰＴＸ_Ｉから（式５）又は（式６）を用いて、低い方の送信電力ＰＴＸ_Ｓ，ＰＴＸ_Ｉを移動局１０，２０の実際の送信電力ＰＴＸとする。或いは、（式９）又は（式１０）を用いて、一定の割合αで２つの送信電力ＰＴＸ_Ｓ，ＰＴＸ_Ｉを加算した値を移動局１０，２０の送信電力ＰＴＸとする。
【００６５】
例えば、図１の例において、第１の基地局１００では、第１の移動局１０における接続基地局１００のパスロスＬ０を考慮した送信電力ＰＴＸ_Ｓと、最大隣接基地局２００の
パスロスＬ１を考慮した送信電力ＰＴＸ_Ｉのうち低い方の送信電力を、第１の移動局１
０の送信電力ＰＴＸとする。
【００６６】
送信電力決定部１５０は、送信電力情報取得部１２０からの送信電力情報に対して、決定した送信電力を目標値として、どれだけ値を加算、又は減算すればよいかを示すＴＰＣコマンドを作成する。
【００６７】
ＴＰＣコマンド送信部１６０は、作成されたＴＰＣコマンドを移動局１０，２０に送信する。
【００６８】
図５は移動局１０，２０の構成例である。実施例１（図２）と同一構成部には同一符号を付し、詳細な説明を省略する。
【００６９】
移動局１０，２０は、受信電力測定部１１−１〜１１−Ｎと、パスロス計算部１２−１〜１２−Ｎと、並び替え部１３と、符号化部１５と、変調部１６と、送信電力調整部１７と、ＴＰＣビット受信部２１と、送信電力決定部２２と、合成部２３とを備える。
【００７０】
例えば、移動局１０において、ＴＰＣビット受信部２１は、基地局１００から送信されたＴＰＣビットを受信する。送信電力決定部２２は、ＴＰＣビットと現在の送信電力値とから、目標とすべき送信電力を決定する。送信電力調整部１７は、決定した送信電力でデータが送信できるように電力値を調整する。
【００７１】
尚、基地局１００，２００における送信電力情報取得部１２０でそれぞれ移動局１０，２０の送信電力が取得できるように、送信電力決定部２２で決定された送信電力は合成部２３を介して多重され（周波数多重、時間多重など）基地局１００，２００に送信される。
【００７２】
また、基地局１００，２００におけるパスロス情報取得部１４０で、隣接基地局に対するパスロスＬ１が取得できるように、並び替え部１３から出力されるパスロスＬ１は合成部２３を介して基地局１００，２００に送信される。並び替え部１３では、２番目に小さいパスロス値が最大隣接基地局に対するパスロスＬ１として選択され、これを出力する。受信電力測定部１１−１〜１１−Ｎと、パスロス計算部１２−１〜１２−Ｎの動作は、実施例１と同様である。
【００７３】
次に全体動作について説明する。図６は処理の例を示すフローチャートである。例として、第２の基地局２００配下にある第２の移動局２０を中心にして、第１の基地局１００が最大隣接基地局であり、第２の基地局２００が接続基地局とする。
【００７４】
隣接基地局１００や移動局２０、及び接続基地局２００で処理が開始されると（Ｓ２０，Ｓ３０，Ｓ４０）、隣接基地局１００から移動局２０に共通パイロット信号が送信される（Ｓ２１）。同様に、接続基地局２００からも移動局２０に共通パイロット信号が送信される（Ｓ４１）。
【００７５】
移動局２０では、この共通パイロット信号から（下り方向の）受信電力を測定する（Ｓ３１）。受信電力測定部１１−１〜１１−Ｎにおいて測定される。
【００７６】
次いで、送信電力決定部２２から合成部２３を介して、送信電力値が送信される（Ｓ３２）。例えば、送信電力決定部２２のメモリに記憶された送信電力値が読み出されて、送信される。
【００７７】
一方、接続基地局２００では移動局２０からの共通パイロット信号を受信して、受信電力測定部１１０において上り方向の受信電力を測定する。そして、パスロス計算部１３０では、測定した上り方向の受信電力と送信電力（Ｓ３２）から、接続基地局２００に対するパスロスＬ０を計算する（Ｓ４２）。例えば、パスロス計算部１３０は、送信電力から受信電力を減算してパスロスＬ０を計算する。
【００７８】
一方、移動局２０では、測定した受信電力（Ｓ３１）に基づいて最大隣接基地局のパスロスＬ１を計算し、合成部２３を介して送信する（Ｓ３３）。
【００７９】
接続基地局２００では、送信されたパスロスＬ１と計算したパスロスＬ０とから移動局２０の送信電力を計算し（Ｓ４３）、ＴＰＣビットを作成し移動局２０に送信する（Ｓ４４）。
【００８０】
移動局２０では、送信されたＴＰＣビットを受信し（Ｓ３４）、このコマンドに基づいて送信電力が調整され、調整された送信電力でパケットを送信する（Ｓ３５）。
【００８１】
接続基地局２００では移動局２０からのパケットを受信し（Ｓ４５）、隣接基地局１００、移動局２０、及び接続基地局２００において一連の処理が終了する（Ｓ２２，Ｓ３６，Ｓ４６）。
【００８２】
このように本実施例においても、送信電力の決定を接続基地局で行うこと以外は実施例１と同様のため、セル端の移動局のＳＩＲを劣化させず、セル全体の干渉量を低く抑えつつ、移動局のスループットを向上させることができるという実施例１の効果を奏する。
【００８３】
以上まとめると付記のようになる。
【００８４】
（付記１）
移動局と接続基地局との間で無線通信を行う無線通信システムにおいて前記移動局から前記接続基地局への送信データの送信電力を制御する送信電力制御方法であって、
前記移動局と前記接続基地局との間の第１のパスロスと、前記移動局に隣接した隣接基地局との間の第２のパスロスとに基づいて、他セルに与える干渉量を抑圧するように前記移動局の前記送信電力を決定する、
ことを特徴とする送信電力制御方法。
【００８５】
（付記２）
前記移動局は、前記接続基地局及び前記隣接基地局からの信号に基づいて受信電力を測定し、測定した前記受信電力から前記第１のパスロス及び前記第２のパスロスとを測定して前記移動局の前記送信電力を決定することを特徴とする付記１記載の送信電力制御方法。
【００８６】
（付記３）
前記接続基地局は、前記移動局からの信号に基づいて受信電力を測定し、当該受信電力から前記第１のパスロスを測定するとともに、前記移動局で測定された前記隣接基地局に対する前記第２のパスロスを前記移動局から受信し、測定した前記第１のパスロスと受信した前記第２のパスロスから前記移動局の前記送信電力を決定し、
前記接続基地局は、決定した前記送信電力を前記移動局に送信することを特徴とする付記１記載の送信電力制御方法。
【００８７】
（付記４）
移動局と接続基地局との間で無線通信を行う無線通信システムにおいて、
前記移動局には、前記移動局と前記接続基地局との間の第１のパスロスと、前記移動局に隣接した基地局である隣接基地局と前記移動局との間の第２のパスロスとに基づいて、前記移動局の前記接続基地局に対する送信電力を決定する送信電力決定部と、決定された前記送信電力に基づいて前記移動局から前記接続基地局へデータを送信するデータ送信部とを備え、
前記接続基地局には、前記移動局から送信された前記データを受信するデータ受信部を備えることを特徴とする無線通信システム。
【００８８】
（付記５）
移動局と接続基地局との間で無線通信を行う無線通信システムにおいて、
前記移動局には、前記移動局に隣接した基地局である隣接基地局との間の第２のパスロスを測定し前記接続基地局に送信する第２のパスロス測定部を備え、
前記接続基地局には、前記移動局との間の第１のパスロスを測定する第１のパスロス測定部と、測定した前記第１のパスロスと前記移動局から受信した前記第２のパスロスとに基づいて、前記移動局の前記接続基地局に対する送信電力を決定する送信電力決定部と、決定した送信電力を前記移動局に送信する送信電力送信部とを備え、
前記移動局は前記接続基地局から送信された前記送信電力に基づいて前記接続基地局との間で無線通信を行うことを特徴とする無線通信システム。
【００８９】
（付記６）
前記移動局の送信電力決定部又は前記接続基地局の送信電力決定部は、前記第１のパスロスから決定した第１の送信電力ＰＴＸ＿Ｓと、前記第２のパスロスから決定した第２の送信電力ＰＴＸ＿Ｉのうち、いずれか小さい方を前記移動局の送信電力として決定することを特徴とする付記４又は５に記載の無線通信システム。
【００９０】
（付記７）
前記移動局の送信電力決定部又は前記接続基地局の送信電力決定部は、前記第１のパスロスから決定した第１の送信電力ＰＴＸ＿Ｓと、前記第２のパスロスから決定した第２の送信電力ＰＴＸ＿Ｉとを用いて、
【００９１】
【数１１】
2008107930.tif 000037
（ここで、ＰＴＸ＿ＭＡＸは前記移動局の最大送信電力、αは０＜α＜１であるパラメータを示す）により、前記移動局の前記送信電力ＰＴＸを決定することを特徴とする付記４又は５に記載の無線通信システム。
【００９２】
（付記８）
前記移動局の送信電力決定部又は前記接続基地局の送信電力決定部は、前記第１のパスロスから決定した第１の送信電力ＰＴＸ＿Ｓと、前記第２のパスロスから決定した第２の送信電力とを一定の割合α（０＜α＜１）で加算した値を前記移動局の送信電力として決定することを特徴とする付記４又は５に記載の無線通信システム。
【符号の説明】
【００９３】
１０：第１の移動局                    １１−１〜１１−Ｎ：受信電力測定部
１２−１〜１２−Ｎ：パスロス計算部    １３：並び替え部
１４：送信電力決定部                  １７：送信電力調整部
２０：第２の移動局                    ２１：ＴＰＣビット受信部
２２：送信電力決定部                  ２３：合成部
１００：第１の（無線）基地局          １１０：受信電力測定部
１２０：送信電力情報取得部            １３０：パスロス計算部
１４０：パスロス情報取得部            
１５０：送信電力決定及びＴＰＣコマンド作成部（送信電力決定部）
２００：第２の（無線）基地局
【手続補正２】
【補正対象書類名】特許請求の範囲
【補正対象項目名】全文
【補正方法】変更
【補正の内容】
【特許請求の範囲】
【請求項１】
移動局と接続基地局との間で無線通信を行う無線通信システムにおいて前記移動局から前記接続基地局への送信データの送信電力を制御する送信電力制御方法であって、
前記移動局と前記接続基地局との間の第１のパスロスと、前記移動局に隣接した隣接基地局との間の第２のパスロスとに基づいて、他セルに与える干渉量を抑圧するように前記移動局の前記送信電力を決定し、
前記決定ステップにおいて、前記第１のパスロスから決定した第１の送信電力ＰＴＸ＿Ｓと、前記第２のパスロスから決定した第２の送信電力ＰＴＸ＿Ｉとを用いて、
【数１２】
2008107930.tif 000038
（ここで、ＰＴＸ＿ＭＡＸは前記移動局の最大送信電力を示す）により、前記移動局の前記送信電力ＰＴＸを決定し、
前記第１の送信電力ＰＴＸ＿Ｓは、
【数１３】
2008107930.tif 000039
（ここで、Ｌ０は前記第１のパスロス、βとＬｂａｓｅとＳＴａｒｇｅｔはパラメータを示す）により決定し、
前記第２の送信電力ＰＴＸ＿Ｉは、
【数１４】
2008107930.tif 000040
（ここで、Ｌ１は前記第２のパスロス、γとＬｂａｓｅとＩＴａｒｇｅｔはパラメータ）により決定することを特徴とする送信電力制御方法。
【請求項２】
移動局と接続基地局との間で無線通信を行う無線通信システムにおいて前記移動局から前記接続基地局への送信データの送信電力を制御する送信電力制御方法であって、
前記移動局と前記接続基地局との間の第１のパスロスと、前記移動局に隣接した隣接基地局との間の第２のパスロスとに基づいて、他セルに与える干渉量を抑圧するように前記移動局の前記送信電力を決定し、
前記決定ステップにおいて、前記第１のパスロスから決定した第１の送信電力ＰＴＸ＿Ｓと、前記第２のパスロスから決定した第２の送信電力ＰＴＸ＿Ｉのうち、いずれか小さい方を前記移動局の送信電力として決定し、
前記第１の送信電力ＰＴＸ＿Ｓは、
【数１５】
2008107930.tif 000041
（ここで、Ｌ０は前記第１のパスロス、βとＬｂａｓｅとＳＴａｒｇｅｔはパラメータを示す）により決定し、
前記第２の送信電力ＰＴＸ＿Ｉは、
【数１６】
2008107930.tif 000042
（ここで、Ｌ１は前記第２のパスロス、γとＬｂａｓｅとＩＴａｒｇｅｔはパラメータ）により決定することを特徴とする送信電力制御方法。
【請求項３】
移動局と接続基地局との間で無線通信を行う無線通信システムにおいて前記移動局から前記接続基地局への送信データの送信電力を制御する送信電力制御方法であって、
前記移動局と前記接続基地局との間の第１のパスロスと、前記移動局に隣接した隣接基地局との間の第２のパスロスとに基づいて、他セルに与える干渉量を抑圧するように前記移動局の前記送信電力を決定し、
前記決定ステップにおいて、前記第１のパスロスから決定した第１の送信電力ＰＴＸ＿Ｓと、前記第２のパスロスから決定した第２の送信電力ＰＴＸ＿Ｉとを用いて、
【数１７】
2008107930.tif 000043
（ここで、ＰＴＸ＿ＭＡＸは前記移動局の最大送信電力、αは０＜α＜１であるパラメータを示す）により、前記移動局の前記送信電力ＰＴＸを決定し、
前記第１の送信電力ＰＴＸ＿Ｓは、
【数１８】
2008107930.tif 000044
（ここで、Ｌ０は前記第１のパスロス、βとＬｂａｓｅとＳＴａｒｇｅｔはパラメータを示す）により決定し、
前記第２の送信電力ＰＴＸ＿Ｉは、
【数１９】
2008107930.tif 000045
（ここで、Ｌ１は前記第２のパスロス、γとＬｂａｓｅとＩＴａｒｇｅｔはパラメータ）により決定すること特徴とする送信電力制御方法。
【請求項４】
移動局と接続基地局との間で無線通信を行う無線通信システムにおいて前記移動局から前記接続基地局への送信データの送信電力を制御する送信電力制御方法であって、
前記移動局と前記接続基地局との間の第１のパスロスと、前記移動局に隣接した隣接基地局との間の第２のパスロスとに基づいて、他セルに与える干渉量を抑圧するように前記移動局の前記送信電力を決定し、
前記決定ステップにおいて、前記第１のパスロスから決定した第１の送信電力ＰＴＸ＿Ｓと、前記第２のパスロスから決定した第２の送信電力とを一定の割合α（０＜α＜１）で加算した値を前記移動局の送信電力として決定し、
前記第１の送信電力ＰＴＸ＿Ｓは、
【数２０】
2008107930.tif 000046
（ここで、Ｌ０は前記第１のパスロス、βとＬｂａｓｅとＳＴａｒｇｅｔはパラメータを示す）により決定し、
前記第２の送信電力ＰＴＸ＿Ｉは、
【数２１】
2008107930.tif 000047
（ここで、Ｌ１は前記第２のパスロス、γとＬｂａｓｅとＩＴａｒｇｅｔはパラメータ）により決定すること特徴とする送信電力制御方法。
【請求項５】
移動局と接続基地局との間で無線通信を行う無線通信システムにおいて、
前記移動局には、前記移動局と前記接続基地局との間の第１のパスロスと、前記移動局に隣接した基地局である隣接基地局と前記移動局との間の第２のパスロスとに基づいて、前記移動局の前記接続基地局に対する送信電力を決定する送信電力決定部と、決定された前記送信電力に基づいて前記移動局から前記接続基地局へデータを送信するデータ送信部とを備え、
前記接続基地局には、前記移動局から送信された前記データを受信するデータ受信部を備え、
前記移動局の送信電力決定部は、前記第１のパスロスから決定した第１の送信電力ＰＴＸ＿Ｓと、前記第２のパスロスから決定した第２の送信電力ＰＴＸ＿Ｉとを用いて、
【数２２】
2008107930.tif 000048
（ここで、ＰＴＸ＿ＭＡＸは前記移動局の最大送信電力を示す）により、前記移動局の前記送信電力ＰＴＸを決定し、
前記移動局の送信電力決定部は、前記第１の送信電力ＰＴＸ＿Ｓを、
【数２３】
2008107930.tif 000049
（ここで、Ｌ０は前記第１のパスロス、βとＬｂａｓｅとＳＴａｒｇｅｔはパラメータを示す）により決定し、前記第２の送信電力ＰＴＸ＿Ｉを、
【数２４】
2008107930.tif 000050
（ここで、Ｌ１は前記第２のパスロス、γとＬｂａｓｅとＩＴａｒｇｅｔはパラメータ）により決定することを特徴とする無線通信システム。
【請求項６】
移動局と接続基地局との間で無線通信を行う無線通信システムにおいて、
前記移動局には、前記移動局に隣接した基地局である隣接基地局との間の第２のパスロスを測定し前記接続基地局に送信する第２のパスロス測定部を備え、
前記接続基地局には、前記移動局との間の第１のパスロスを測定する第１のパスロス測定部と、測定した前記第１のパスロスと前記移動局から受信した前記第２のパスロスとに基づいて、前記移動局の前記接続基地局に対する送信電力を決定する送信電力決定部と、決定した送信電力を前記移動局に送信する送信電力送信部とを備え、
前記移動局は前記接続基地局から送信された前記送信電力に基づいて前記接続基地局との間で無線通信を行い、
前記接続基地局の送信電力決定部は、前記第１のパスロスから決定した第１の送信電力ＰＴＸ＿Ｓと、前記第２のパスロスから決定した第２の送信電力ＰＴＸ＿Ｉとを用いて、
【数２５】
2008107930.tif 000051
（ここで、ＰＴＸ＿ＭＡＸは前記移動局の最大送信電力を示す）により、前記移動局の前記送信電力ＰＴＸを決定し、
前記接続基地局の送信電力決定部は、前記第１の送信電力ＰＴＸ＿Ｓを、
【数２６】
2008107930.tif 000052
（ここで、Ｌ０は前記第１のパスロス、βとＬｂａｓｅとＳＴａｒｇｅｔはパラメータを示す）により決定し、前記第２の送信電力ＰＴＸ＿Ｉを、
【数２７】
2008107930.tif 000053
（ここで、Ｌ１は前記第２のパスロス、γとＬｂａｓｅとＩＴａｒｇｅｔはパラメータ）により決定することを特徴とする無線通信システム。
【国際調査報告】
2008107930.tif 000054
2008107930.tif 000055
2008107930.tif 000056
2008107930.tif 000057